(57)【特許請求の範囲】
【請求項１】
鋳造機と金属溶湯供給装置の間を金属溶湯輸送管を介して接続するに際し、該金属溶湯輸送管の端部外周に梃子式レバーとスプリングを介したナット押力調整により接続力の調整ができる鉤金具を固定して取付けるとともに、金属溶湯供給装置の出湯口付近に前記鉤金具を掛ける止金具を取付け、前記金属溶湯供給装置と金属溶湯輸送管との間の接続部にパッキンが設けられ、前記ナットは梃子式レバー後部側においてスプリングの押力を受け止めるべく設けられると共にねじ操作可能に設けられ、前記梃子式レバーの押し下げ方向への回動時前記スプリングは梃子式レバーを介して前記接続部をパッキンにより密着せしめ、スプリングを介したナット押力調整により予め設定した接続力でもって前記梃子式レバーの操作だけで金属溶湯供給装置への金属溶湯輸送管の接続を可能とした金属溶湯輸送管の取付け接続装置。
【請求項２】
鋳造機と金属溶湯供給装置の間を金属溶湯輸送管を介して接続するに際し、金属溶湯供給装置の出湯口付近に梃子式レバーとスプリングを介したナット押力調整により接続力の調整ができる鉤金具を固定して取付けるとともに、金属溶湯輸送管の端部外周に前記鉤金具を掛ける止金具を取付け、前記金属溶湯供給装置と金属溶湯輸送管との間の接続部にパッキンが設けられ、前記ナットは梃子式レバー後部側においてスプリングの押力を受け止めるべく設けられると共にねじ操作可能に設けられ、前記梃子式レバーの押し下げ方向への回動時前記スプリングは梃子式レバーを介して前記接続部をパッキンにより密着せしめ、スプリングを介したナット押力調整により予め設定した接続力でもって前記梃子式レバーの操作だけで金属溶湯供給装置への金属溶湯輸送管の接続を可能とした金属溶湯輸送管の取付け接続装置。
【請求項３】
鋳造機と金属溶湯供給装置の間を複数本の金属溶湯輸送管を用いて接続するに際し、一方の金属溶湯輸送管の端部外周に梃子式レバーとスプリングを介したナット押力調整により接続力の調整ができる鉤金具を固定して取付けるとともに、他方の金属溶湯輸送管の端部外周に前記鉤金具を掛ける止金具を取付け、前記双方の金属溶湯輸送管の間の接続部にパッキンが設けられ、前記ナットは梃子式レバー後部側においてスプリングの押力を受け止めるべく設けられると共にねじ操作可能に設けられ、前記梃子式レバーの押し下げ方向への回動時前記スプリングは梃子式レバーを介して前記接続部をパッキンにより密着せしめ、梃子式レバーはその押し下げ回動時に前記接続部をパッキンを介して密着せしめ、スプリングを介したナット押力調整により予め設定した接続力でもって前記梃子式レバーの操作だけで金属溶湯輸送管同志の接続を可能とした取付け接続装置。
【請求項４】
鋳造機と金属溶湯供給装置の間を金属溶湯輸送管を介して接続するに際し、該金属溶湯輸送管の端部外周に梃子式レバーとナット押力調整により接続力の調整ができる鉤金具を固定して取付けるとともに、金属溶湯供給装置の出湯口付近に前記鉤金具を掛ける止金具を取付け、前記金属溶湯供給装置と金属溶湯輸送管との間の接続部にパッキンが設けられ、ナット押力調整により予め設定した接続力でもって前記梃子式レバーの操作だけで金属溶湯供給装置への金属溶湯輸送管の接続を可能とし、前記鉤金具を、先端部に係止部を持つフックボルトの中間部にフックサポートを後部からスプリングを介して、フックボルトに螺合されたナットで押力調節し得るように取付けるとともに前記サポートの所定個所を１つの支点としかつ基台の所定個所を別の支点として、それぞれ回動し得るように取付けたハンドルから構成したことを特徴とする金属溶湯輸送管の取付け接続装置。
【請求項５】
鋳造機と金属溶湯供給装置の間を金属溶湯輸送管を介して接続するに際し、金属溶湯供給装置の出湯口付近に梃子式レバーとナット押力調整により接続力の調整ができる鉤金具を固定して取付けるとともに、金属溶湯輸送管の端部外周に前記鉤金具を掛ける止金具を取付け、前記金属溶湯供給装置と金属溶湯輸送管との間の接続部にパッキンが設けられ、ナット押力調整により予め設定した接続力でもって前記梃子式レバーの操作だけで金属溶湯供給装置への金属溶湯輸送管の接続を可能とし、前記鉤金具を、先端部に係止部を持つフックボルトの中間部にフックサポートを後部からスプリングを介して、フックボルトに螺合されたナットで押力調節し得るように取付けるとともに前記サポートの所定個所を１つの支点としかつ基台の所定個所を別の支点として、それぞれ回動し得るように取付けたハンドルから構成したことを特徴とする金属溶湯輸送管の取付け接続装置。
【請求項６】
鋳造機と金属溶湯供給装置の間を複数本の金属溶湯輸送管を用いて接続するに際し、一方の金属溶湯輸送管の端部外周に梃子式レバーとナット押力調整により接続力の調整ができる鉤金具を固定して取付けるとともに、他方の金属溶湯輸送管の端部外周に前記鉤金具を掛ける止金具を取付け、前記双方の金属溶湯輸送管の間の接続部にパッキンが設けられ、ナット押力調整により予め設定した接続力でもって前記梃子式レバーの操作だけで金属溶湯輸送管同志の接続を可能とし、前記鉤金具を、先端部に係止部を持つフックボルトの中間部にフックサポートを後部からスプリングを介して、フックボルトに螺合されたナットで押力調節し得るように取付けるとともに前記サポートの所定個所を１つの支点としかつ基台の所定個所を別の支点として、それぞれ回動し得るように取付けたハンドルから構成したことを特徴とする取付け接続装置。
【請求項７】
請求項１〜３のいずれか１項において、前記取付け接続装置の少なくとも一方の接続部をその横断面が半球状の凸部又は凹部の曲線部を持つように加工し、当該接続部に対応する他方の接続部に対しての角度ずれに自由度をもたせたことを特徴とする取付け接続装置。
【発明の詳細な説明】
【０００１】
【発明の属する技術分野】
本発明は、アルミニウム、アルミニウム合金等の溶湯を金属溶湯供給装置から鋳造機に送るための金属溶湯輸送管に関し、さらに詳しくは金属溶湯供給装置と金属溶湯輸送管、ないしは金属溶湯輸送管同志の取付け接続装置に係わる。
【０００２】
【従来の技術】
アルミニウム、アルミニウム合金等を鋳造する場合、特願平０９−０２１１５９で提案したような金属溶湯供給装置から鋳造機である金型のキャビティに金属溶湯を送るのに加熱手段を備えた金属溶湯輸送管が用いられるが、鋳造機の金型交換毎に金属溶湯供給装置から取外さねばならぬ関係上、従来は図１に示すように、金属溶湯供給装置１の出湯口２付近に設けたフランジ３と金属溶湯輸送管４の端部付近に設けたフランジ５をボルト６およびナット７を用いて取付け接続していた。また、金属溶湯輸送管同志の接続には一本の金属溶湯輸送管４の他端部に設けたフランジ８と別の金属溶湯輸送管９に設けたフランジ１０とを前述同様にボルトとナットにより取付け接続していた。
【０００３】
ところで、金属溶湯輸送管の周囲は高温のため、ボルトとナットを用いた取付け作業は非常な危険度を伴う。しかも取付け作業毎に金属溶湯供給装置とその輸送管、ないしは金属溶湯輸送管同志の接触圧力を設定調節する必要があるため、作業が複雑なうえ時間が掛かって作業効率が悪いという欠点があった。
【０００４】
【発明が解決しようとする課題】
本発明の装置は前記問題点を解決するためのもので、金属溶湯供給装置と金属溶湯輸送管、ないしは金属溶湯輸送管同志の接続時における接触圧力を予め接続具に設定しておき、しかも非常に簡単な操作で取付け接続が行える安全性に優れ作業時間の大幅短縮に貢献する金属溶湯輸送管の取付け接続装置を提案することを目的としている。
【０００５】
【課題を解決するための手段】
前記目的を達成するために、本発明の請求項１に係わる金属溶湯輸送管の取付け接続装置は、鋳造機と金属溶湯供給装置の間を金属溶湯輸送管を介して接続するに際し、該金属溶湯輸送管の端部外周に梃子式レバーとスプリングを介したナット押力調整により接続力の調整ができる鉤金具を固定して取付けるとともに、金属溶湯供給装置の出湯口付近に前記鉤金具を掛ける止金具を取付け、前記金属溶湯供給装置と金属溶湯輸送管との間の接続部にパッキンが設けられ、前記ナットは梃子式レバー後部側においてスプリングの押力を受け止めるべく設けられると共にねじ操作可能に設けられ、前記梃子式レバーの押し下げ方向への回動時前記スプリングは梃子式レバーを介して前記接続部をパッキンにより密着せしめ、スプリングを介したナット押力調整により予め設定した接続力でもって前記梃子式レバーの操作だけで金属溶湯供給装置への金属溶湯輸送管の接続を可能とした。
【０００６】
次に、本発明の請求項２に係わる金属溶湯輸送管の取付け接続装置は、鋳造機と金属溶湯供給装置の間を金属溶湯輸送管を介して接続するに際し、金属溶湯供給装置の出湯口付近に梃子式レバーとスプリングを介したナット押力調整により接続力の調整ができる鉤金具を固定して取付けるとともに、金属溶湯輸送管の端部外周に前記鉤金具を掛ける止金具を取付け、前記金属溶湯供給装置と金属溶湯輸送管との間の接続部にパッキンが設けられ、前記ナットは梃子式レバー後部側においてスプリングの押力を受け止めるべく設けられると共にねじ操作可能に設けられ、前記梃子式レバーの押し下げ方向への回動時前記スプリングは梃子式レバーを介して前記接続部をパッキンにより密着せしめ、スプリングを介したナット押力調整により予め設定した接続力でもって前記梃子式レバーの操作だけで金属溶湯供給装置への金属溶湯輸送管の接続を可能とした。
【０００７】
次に、本発明の請求項３に係わる金属溶湯輸送管の取付け接続装置は、鋳造機と金属溶湯供給装置の間を複数本の金属溶湯輸送管を用いて接続するに際し、一方の金属溶湯輸送管の端部外周に梃子式レバーとスプリングを介したナット押力調整により接続力の調整ができる鉤金具を固定して取付けるとともに、他方の金属溶湯輸送管の端部外周に前記鉤金具を掛ける止金具を取付け、前記双方の金属溶湯輸送管の間の接続部にパッキンが設けられ、前記ナットは梃子式レバー後部側においてスプリングの押力を受け止めるべく設けられると共にねじ操作可能に設けられ、前記梃子式レバーの押し下げ方向への回動時前記スプリングは梃子式レバーを介して前記接続部をパッキンにより密着せしめ、梃子式レバーはその押し下げ回動時に前記接続部をパッキンを介して密着せしめ、スプリングを介したナット押力調整により予め設定した接続力でもって前記梃子式レバーの操作だけで金属溶湯輸送管同志の接続を可能とした。
【０００８】
また、本発明の請求項４から請求項６に係わる金属溶湯輸送管の取付け接続装置は、前記鉤金具を、先端部に係止部を持つフックボルトの中間部にフックサポートを後部からスプリングを介して、フックボルトに螺合されたナットで押力調節し得るように取付けるとともに前記サポートの所定個所を１つの支点としかつ基台の所定個所を別の支点として、それぞれ回動し得るように取付けたハンドルから構成し、簡単な構造で操作のし易すいものとした。
【０００９】
さらに、本発明の請求項７に係わる取付け接続装置は、前記取付け接続装置の少なくとも一方の接続部をその横断面が半球状の凸部又は凹部の曲線部を持つように加工し、当該接続部に対応する他方の接続部に対しての角度ずれに自由度をもたせた。
【００１０】
【作用】
金属溶湯供給装置と金属溶湯輸送管、ないしは金属溶湯輸送管同志の取付け接続を、それらに必要な接触圧力を保つよう予め接続具の構成部品であるスプリングとナットにより設定調節しておき、レバー操作により行う。
【００１１】
【実施例】
以下、本発明の実施例を図を用いて詳述する。図２は金属溶湯供給装置１１の出湯口１２に金属溶湯輸送管１３を取付け、さらにこの輸送管にもう一本の金属溶湯輸送管１４を取付けた状態を示す。金属溶湯輸送管１３、１４の端部外周には同心円的にほぼ等間隔で鉤金具１５ａ、１５ｂが２個ないし４個固定して設けられており、前記取付け時には金属溶湯輸送管１３の鉤金具１５ａの係止部１６ａが金属溶湯供給装置１１の止金具１７に、また金属溶湯輸送管１４の鉤金具１５ｂの係止部１６ｂが接続管１３の止金具１８にそれぞれ係合するようになっている。
【００１２】
ここで本発明に用いられる金属溶湯輸送管の鉤金具の構成例について図３および図４により詳述する。鉤金具１５は大略、フックボルト２１、フックサポート２２、スプリング２３、ナット２４、梃子式レバー２５、基台２６から構成されている。そして、フックボルト２１は先端部に係止部１６を持つとともに、中間部にフックサポート２２を後部からスプリング２３を介してナット２４により押力調節可能な状態で取付けられている。一方、梃子式レバー２５がヒンジピン２７を支点としてフックサポート２２に回動可能な状態で取付けられ、さらにこの梃子式レバー２５は別の個所でヒンジピン２８を支点として回動可能な状態で金属溶湯輸送管に固定した基台２６に取付けられている。ここで、梃子式レバー２５の一端を上下するとフックボルト２１もヒンジピン２８を支点として回動する。なお、本発明で用いる鉤金具１５は梃子式レバーと押力調整ナットは構成上の必須要件となっているが、その他の部品や構造の変形は本発明の主旨をはずれることなく様々になし得ることは言うまでもない。
【００１３】
また、金属溶湯輸送管１３は、少なくとも一方の接続端部をその横断面が半球状の凸部１９ａ、又は凹部１９ｂの曲線部を持つように加工することが望ましい。接続箇所に曲線部を形成することによって、角度ずれに自由度をもとせることができる。すなわち、金属溶湯輸送管の接続が容易かつ確実に行えるようになる。なお、接続部にパッキンを用いると、一層効果のある接続ができることは言うまでもない。
【００１４】
次に金属溶湯供給装置１３の取付け操作を図５により説明する。まず、両者の接触圧力を所望の値に維持するよう予めナット２４を操作してスプリング２３をフックサポート２２の方へ押付けておく。そして図５（イ）のように梃子式レバー２５を持ち上げてフックボルト２１の係止部１６を金属溶湯供給装置１１の止金具１７にはめ込む位置にまで作動する。次いで梃子式レバー２５の一端を押下げるとフックボルト２５もヒンジピン２８を支点として回動しながら降下し、係止部１６が止金部１７と係合する〔図５（ロ）〕。さらに梃子式レバー２５を水平位置まで押し下げると金属溶湯供給装置１１に金属溶湯輸送管１３が密着固定される〔図５（ハ）〕。逆に金属溶湯供給装置１１から金属溶湯輸送管１３を取外す際は、図５（ハ）の状態から梃子式レバー２５の一端を持ち上げると図５（ロ）のようにフックボルト２１がヒンジピン２８を支点として回動しながら持ち上がり、さらに梃子式レバー２５を作動し続けると、図５（イ）のように係止部１６と止金部１７の係合状態が開放される。この状態で金属溶湯輸送管１３を金属溶湯供給装置１１から取り外す。
【００１５】
ここでは主として金属溶湯輸送管の金属溶湯供給装置への取付けについて説明したが、複数本の金属溶湯輸送管同志の取付け接続も同様の方法で行われる。すなわち、金属溶湯輸送管の端部外周に前記鉤金具を取付けて金属溶湯供給装置の出湯口付近に止金具を設けた例以外に、金属溶湯供給装置側に鉤金具を設けて金属溶湯輸送管側に止金具を設けた場合、さらには複数本の金属溶湯輸送管において一方の接続部付近に鉤金具を設けてそれに対応する別の金属溶湯輸送管の接続部付近に止金具を設けた場合など、本発明で１８数通りの接続の仕方が発明の要旨を逸脱することなく考えられる。
【００１６】
【発明の効果】
以上の説明からも明らかなように、本発明によれば簡単なレバー操作だけで金属溶湯供給装置とそれに接続する金属溶湯輸送管、ないしは金属溶湯輸送管同志が正確に取付けでき作業時間が大幅に短縮できる。
また、取付け接続に必要な接触圧力の設定調節を取付け前にボルト操作だけで予め行えるので高温環境における手間が省け、作業に伴う危険度がなくなる。
このように、本発明は一般に約２週間に１回位の割合で行う鋳造機の金型交換時の金属溶湯輸送管の取付け接続を安全に短時間で効率よく行うのに役立つ。
【図面の簡単な説明】
【図１】従来の金属溶湯輸送管の取付け接続状態を示す横断図面である。
【図２】本発明による金属溶湯輸送管の取付け接続状態を示す横断図面である。
【図３】本発明の金属溶湯輸送管の取付け接続に用いる接続具の平図面である。
【図４】図３に示す接続具の横断面である。
【図５】金属溶湯輸送管の取付け時における図４に示す接続具の作動状態を説明するための図である。
【符号の説明】
１１・・・金属溶湯供給装置    １３，１４・・・金属溶湯輸送管
１５・・・鉤金具    １６・・・係止具    １７，１８・・・止金具
１９ａ・・半球状凸部      １９ｂ・・半球状凹部
２１・・・フックボルト    ２２・・・フックサポート
２３・・・スプリング  ２４・・・ナット  ２５・・・梃子式レバー
２６・・・基台
【図１】
0003553408.tif 000002
【図２】
0003553408.tif 000003
【図３】
0003553408.tif 000004
【図４】
0003553408.tif 000005
【図５】
0003553408.tif 000006